(57)【要約】      （修正有）【課題】選択者に応じて、当該選択者の好みに合ったインテリアを選択し易くなるように当該選択を支援することが可能なインテリア選択支援システムを提供する。【解決手段】選択者がインテリアを選択する際に、好みに合ったインテリアを選択し易くなるように当該選択を支援するインテリア選択支援システム１であって、個人情報に基づいて被験者を複数のグループに分類し、当該複数のグループごとに作成された、インテリアに関するキーワードとインテリアに関する要素との相関性についてのデータベースを記憶した記憶部１０ａと、前記選択者が選択した前記キーワード、当該選択者の個人情報及び前記データベースに基づいて、当該選択者の好みに合うと推定されるインテリアに関する要素を抽出する抽出部２１ａと、抽出部２１ａによって抽出されたインテリアに関する要素を前記選択者に提示する提示部２１ｂと、を具備した。【選択図】図２
2014102767.tif 000002
【特許請求の範囲】
【請求項１】
選択者がインテリアを選択する際に、好みに合ったインテリアを選択し易くなるように当該選択を支援するインテリア選択支援システムであって、
個人情報に基づいて被験者を複数のグループに分類し、当該複数のグループごとに作成された、インテリアに関するキーワードとインテリアに関する要素との相関性についてのデータベースを記憶した記憶部と、
前記選択者が選択した前記キーワード、当該選択者の個人情報及び前記データベースに基づいて、当該選択者の好みに合うと推定されるインテリアに関する要素を抽出する抽出部と、
前記抽出部によって抽出されたインテリアに関する要素を前記選択者に提示する提示部と、
を具備することを特徴とする、
インテリア選択支援システム。
【請求項２】
前記選択者が選択した前記キーワード、当該選択者の個人情報及び当該選択者が最終的に選択したインテリアに関する要素を用いて、前記データベースを更新する更新部をさらに具備することを特徴とする、
請求項１に記載のインテリア選択支援システム。
【請求項３】
前記個人情報は、前記選択者の年齢及び／又は性別であることを特徴とする、
請求項１又は請求項２に記載のインテリア選択支援システム。
【請求項４】
選択者がインテリアを選択する際に、好みに合ったインテリアを選択し易くなるように当該選択を支援するインテリア選択支援方法であって、
被験者を個人情報に基づいて複数のグループに分類し、当該複数のグループごとに作成されたインテリアに関するキーワードとインテリアに関する要素との相関性についてのデータベースを記憶する記憶工程と、
前記選択者が選択した前記キーワード、当該選択者の個人情報及び前記データベースに基づいて、当該選択者の好みに合うと推定されるインテリアに関する要素を抽出する抽出工程と、
前記抽出工程において抽出されたインテリアに関する要素を前記選択者に提示する提示工程と、
を具備することを特徴とする、
インテリア選択支援方法。
【請求項５】
前記選択者が選択した前記キーワード、当該選択者の個人情報及び当該選択者が最終的に選択したインテリアに関する要素を用いて、前記データベースを更新する更新工程をさらに具備することを特徴とする、
請求項４に記載のインテリア選択支援方法。
【請求項６】
前記個人情報は、前記選択者の年齢及び／又は性別であることを特徴とする、
請求項４又は請求項５に記載のインテリア選択支援方法。
【発明の詳細な説明】
【技術分野】
【０００１】
本発明は、選択者がインテリアを選択する際に、好みに合ったインテリアを選択し易くなるように当該選択を支援するインテリア選択支援システム及びインテリア選択支援方法の技術に関する。
【背景技術】
【０００２】
従来、選択者がインテリアを選択する際に、好みに合ったインテリアを選択し易くなるように当該選択を支援するインテリア選択支援システム及びインテリア選択支援方法の技術は公知となっている。例えば、特許文献１に記載の如くである。
【０００３】
特許文献１に記載の技術では、選択者が選択したインテリアの基本デザインを、さらに選択者が選択した修正イメージ用語（キーワード）に基づいて修正することで、当該選択者の好みに合ったインテリアを選択し易くするものである。
【０００４】
しかしながら、選択者が選択するキーワードとインテリアに関する要素（例えば、家具の色や材質等）との相関性は、当該選択者ごとに異なるものである。例えば、年齢が１０代の選択者と５０代の選択者とでは、同じ「明るい」というキーワードからイメージする家具の色に違いが生じる。このため、キーワードだけでは選択者の好みに合ったインテリアを選択し易くすることが困難な場合があった。
【先行技術文献】
【特許文献】
【０００５】
【特許文献１】特開２０００−４８０６２号公報
【発明の概要】
【発明が解決しようとする課題】
【０００６】
本発明は以上の如き状況に鑑みてなされたものであり、その解決しようとする課題は、選択者に応じて、当該選択者の好みに合ったインテリアを選択し易くなるように当該選択を支援することが可能なインテリア選択支援システム及びインテリア選択支援方法を提供することである。
【課題を解決するための手段】
【０００７】
本発明の解決しようとする課題は以上の如くであり、次にこの課題を解決するための手段を説明する。
【０００８】
即ち、請求項１においては、選択者がインテリアを選択する際に、好みに合ったインテリアを選択し易くなるように当該選択を支援するインテリア選択支援システムであって、個人情報に基づいて被験者を複数のグループに分類し、当該複数のグループごとに作成された、インテリアに関するキーワードとインテリアに関する要素との相関性についてのデータベースを記憶した記憶部と、前記選択者が選択した前記キーワード、当該選択者の個人情報及び前記データベースに基づいて、当該選択者の好みに合うと推定されるインテリアに関する要素を抽出する抽出部と、前記抽出部によって抽出されたインテリアに関する要素を前記選択者に提示する提示部と、を具備するものである。
【０００９】
請求項２においては、前記選択者が選択した前記キーワード、当該選択者の個人情報及び当該選択者が最終的に選択したインテリアに関する要素を用いて、前記データベースを更新する更新部をさらに具備するものである。
【００１０】
請求項３においては、前記個人情報は、前記選択者の年齢及び／又は性別であるものである。
【００１１】
請求項４においては、選択者がインテリアを選択する際に、好みに合ったインテリアを選択し易くなるように当該選択を支援するインテリア選択支援方法であって、被験者を個人情報に基づいて複数のグループに分類し、当該複数のグループごとに作成されたインテリアに関するキーワードとインテリアに関する要素との相関性についてのデータベースを記憶する記憶工程と、前記選択者が選択した前記キーワード、当該選択者の個人情報及び前記データベースに基づいて、当該選択者の好みに合うと推定されるインテリアに関する要素を抽出する抽出工程と、前記抽出工程において抽出されたインテリアに関する要素を前記選択者に提示する提示工程と、を具備するものである。
【００１２】
請求項５においては、前記選択者が選択した前記キーワード、当該選択者の個人情報及び当該選択者が最終的に選択したインテリアに関する要素を用いて、前記データベースを更新する更新工程をさらに具備するものである。
【００１３】
請求項６においては、前記個人情報は、前記選択者の年齢及び／又は性別であるものである。
【発明の効果】
【００１４】
本発明の効果として、以下に示すような効果を奏する。
【００１５】
請求項１においては、個人情報に基づいて被験者を複数のグループに分類し、当該複数のグループごとに作成されたデータベースを用いることで、選択者に応じて当該選択者の好みに合ったインテリアを選択し易くすることができる。
【００１６】
請求項２においては、選択が行われる度にデータベースを更新することで、常に最新の情報に基づいた選択の支援が可能となる。
【００１７】
請求項３においては、インテリアに関するキーワードとインテリアに関する要素との相関性に特に影響が大きいと考えられる年齢及び／又は性別に基づいたデータベースを用いることで、より選択者の好みに合ったインテリアを選択し易くすることができる。
【００１８】
請求項４においては、個人情報に基づいて被験者を複数のグループに分類し、当該複数のグループごとに作成されたデータベースを用いることで、選択者に応じて当該選択者の好みに合ったインテリアを選択し易くすることができる。
【００１９】
請求項５においては、選択が行われる度にデータベースを更新することで、常に最新の情報に基づいた選択の支援が可能となる。
【００２０】
請求項６においては、インテリアに関するキーワードとインテリアに関する要素との相関性に特に影響が大きいと考えられる年齢及び／又は性別に基づいたデータベースを用いることで、より選択者の好みに合ったインテリアを選択し易くすることができる。
【図面の簡単な説明】
【００２１】
【図１】インテリア選択支援システムの全体的な構成を示した模式図。
【図２】同じく、インテリア選択支援システムの全体的な構成を示したブロック図。
【図３】インテリア選択支援方法を示したフローチャート。
【図４】データベースの構築に用いる画像の一例を示した図。
【図５】インテリアに関するキーワードとインテリアに関する要素との相関性を示した表の一例を示した図。
【図６】データベースの構成を示した模式図。
【図７】選択者の好みに合うと推定されるインテリアをモニターに表示した状態を示した図。
【発明を実施するための形態】
【００２２】
以下では、図１及び図２を用いて、本発明の実施の一形態に係るインテリア選択支援システム１の構成について説明する。
【００２３】
インテリア選択支援システム１は、選択者がインテリアを選択する際に、好みに合ったインテリアを選択し易くなるように当該選択を支援するものである。
【００２４】
ここで、「インテリア」とは、住宅を含む建築物の室内装飾を意味する。本実施形態における「インテリア」は、建築物の室内の間取り計画、仕上げ計画、照明計画及び装飾計画、並びに当該室内の照明器具及び家具を含む、建築物の室内空間を装飾し得る全てのものを指すものとする。
【００２５】
また、「選択者」とは、建築物の室内のインテリアを選択する者である。例えば、家具付きの賃貸マンションを借りようとする一般消費者や、住宅を購入しようとする一般消費者等である。
【００２６】
インテリア選択支援システム１は、主としてサーバ１０及びパソコン２０を具備する。
【００２７】
サーバ１０は、後述するデータベースを記憶し、パソコン２０からの要求に応じて所定の情報を提供するものである。サーバ１０は、ＲＡＭやＲＯＭ、並びにＣＰＵ等により構成される。また、サーバ１０は、機能的には記憶部１０ａを具備する。当該記憶部１０ａの機能については、後述するインテリア選択支援システム１を用いたインテリア選択支援方法についての説明の中で詳細に説明する。
【００２８】
パソコン２０は、選択者が所定の情報を入力したり、提示された所定の情報を閲覧したりするためのものである。パソコン２０は、主としてパソコン本体２１、キーボード２２及びモニター２３を具備する。
【００２９】
パソコン本体２１は、ＲＡＭやＲＯＭ、並びにＣＰＵ等により構成される。パソコン本体２１は、無線（又は有線）でサーバ１０と通信可能とされる。また、パソコン本体２１は、機能的には抽出部２１ａ、提示部２１ｂ、選択部２１ｃ及び更新部２１ｄを具備する。当該抽出部２１ａ、提示部２１ｂ、選択部２１ｃ及び更新部２１ｄの機能については、後述するインテリア選択支援システム１を用いたインテリア選択支援方法についての説明の中で詳細に説明する。
【００３０】
キーボード２２は、所定の情報をパソコン本体２１へ入力するための入力手段である。キーボード２２はパソコン本体２１と接続され、当該キーボード２２を用いてパソコン本体２１へと所定の情報を入力することが可能とされる。
【００３１】
モニター２３は、パソコン本体２１から提供される所定の情報を閲覧するための表示手段である。モニター２３はパソコン本体２１と接続され、当該パソコン本体２１から提供される所定の情報を表示することが可能とされる。
【００３２】
以下では、図３から図７まで（適宜図１及び図２も参照のこと）を用いて、インテリア選択支援システム１を用いて、選択者がインテリアを選択する際に、好みに合ったインテリアを選択し易くなるように当該選択を支援する、インテリア選択支援方法について説明する。
当該インテリア選択支援方法（インテリア選択支援システム１）は、例えば選択者（一般消費者）が家具付きの賃貸マンションを借りようとする際に、当該賃貸マンションの室内のインテリアを選択する場合などに用いられる。
【００３３】
なお、以下で説明するインテリア選択支援方法では、データベースを用いて選択者の好みに合ったインテリアを選択し易くする際の手法として、公知の手法（文献（井上勝雄、外３名、「区間分析とラフ集合を用いた店舗デザインの調査分析と提案」、デザイン学研究、２００９年、第５６巻、第３号（通号１９５号）、ｐ．２１‐３０）、及び文献（井上勝雄、「ラフ集合の感性工学への応用」、海文堂出版、２００９年））を参考にしている。
【００３４】
インテリア選択支援方法は、記憶工程Ｓ１００、抽出工程Ｓ２００、提示工程Ｓ３００、選択工程Ｓ４００及び更新工程Ｓ５００を具備する。
【００３５】
図３に示す記憶工程Ｓ１００は、被験者を個人情報に基づいて複数のグループに分類し、当該複数のグループごとに作成されたインテリアに関するキーワードとインテリアに関する要素との相関性についてのデータベースを記憶する工程である。以下、当該記憶工程Ｓ１００について詳細に説明する。
【００３６】
記憶工程Ｓ１００は、選択者がインテリアを選択する以前に予め行われる。記憶工程Ｓ１００において、サーバ１０の記憶部１０ａに、前記データベースが記憶される。
【００３７】
前記データベースを作成する場合、まず図４に示すような建築物の室内空間が描かれた複数の画像３０・３０・・・を、多数の被験者に提示する。画像３０には、フロア３１、壁３２、ベッド３３、カーテン３４及び椅子３５等のインテリアが描かれている。複数の画像３０・３０・・・は、各インテリアに関する要素（例えば、材質、色、形状、大きさ等であり、インテリアの装飾性に影響を与え得る全ての要素をいうものとする）を画像３０・３０・・・ごとに適宜変更することで、当該インテリアに関する要素の組み合わせが互いに異なるように構成されている。
【００３８】
例えば、ある画像３０ではフロア３１の素材がフローリングであるのに対し、他の画像３０ではフロア３１の素材がカーペットである、またある画像ではクロスの色が白であるのに対し、他の画像ではクロスの色がピンクである、等である。
【００３９】
なお、上記インテリア（フロア３１、壁３２、ベッド３３、カーテン３４及び椅子３５等）は例示であり、画像３０にはその他のインテリアを描いていても良い。
【００４０】
次に、被験者に、提示された画像３０を見て感じるキーワード（形容詞）を答えてもらう。この場合、第一のキーワード及び第二のキーワードの、二種類のキーワードを答えてもらう。
第一のキーワードは、やや抽象的なキーワード（例えば、「住みたい」、「元気がでる」、「癒される」、「馴染む」等の、いわゆる「態度」に関するキーワード）である。
第二のキーワードは、当該第一のキーワードをやや具体的にしたキーワード（例えば、「住みたい」という第一のキーワードに対して「広い」、「清潔感」、「地味」、「飽きない」や、「元気がでる」という第一のキーワードに対して「清潔感」、「都会的」、「地味」、「情緒的」等の、いわゆる「イメージ」に関するキーワード）である。
【００４１】
次に、被験者から得られた画像３０と前記キーワードとの相関性から図５に示すような表を作成する。この際作成する表は、個人情報に基づいて被験者を複数のグループに分類し、当該複数のグループごとに作成される。
【００４２】
ここで、「個人情報」とは、被験者個人に関するあらゆる情報を含むものとする。「個人情報」としては、例えば、被験者の年齢、性別、居住地、出生地、年収、職業、趣味、家族構成等がある。
【００４３】
本実施形態においては、個人情報として年齢及び性別を用い、被験者を複数のグループに分類するものとする。具体的には、本実施形態に係るインテリア選択支援システム１は高齢者向けのものとし、被験者を６０代前半の男性、６０代前半の女性、６０代後半の男性、６０代後半の女性、７０代前半の男性、７０代前半の女性、７０代後半の男性、７０代後半の女性に分類するものとする。図５に示す表は、６０代前半の男性の表の一例である。
【００４４】
図５に示す表は、上下に並んだ複数の行にインテリアに関する要素を、左右に並んだ複数の列にキーワードを示し、これらの相関性（キーワードから推定される選択者の好みのインテリアの要素）を示したものである。
例えば、インテリアに関する要素として、フロア３１（フロア材）の色及び素材、壁３２（クロス）の色、ベッド３３のベッドカバー３３ａの色、アクセント壁の有無、カーテン３４の種類、椅子３５の色、フロア材とベッドカバー３３ａの組み合わせの色、フロア材とベッドカバー３３ａと椅子３５の組み合わせの色、フロア材と椅子３５の組み合わせの色、及びベッドカバー３３ａと椅子３５の組み合わせの色を示している。
また第一のキーワードとして「住みたい」を、当該第一のキーワードに関する第二のキーワードとして「広い」、「清潔感」、「地味」及び「飽きない」を示している。
【００４５】
図５に示す表において、例えば６０代前半の男性が第一のキーワード「住みたい」、第二のキーワード「清潔感」を選択した場合、当該「清潔感」に含まれる５列に記載された丸印が、当該男性の好みに合うと推定されるインテリアに関する要素の組み合わせのパターンを示している。
【００４６】
すなわち、この場合、（１）ベッドカバーが「花柄（図中のＤ２）」、（２）クロスが「白（図中のＣ１）」かつベッドカバー３３ａと椅子３５の組み合わせの色が「ナチュラル（図中のＫ１）」、（３）クロスが「白（図中のＣ１）」かつフロア材と椅子３５の組み合わせの色が「ナチュラル（図中のＪ３）」、（４）クロスが「白（図中のＣ１）」かつフロア材とベッドカバー３３ａと椅子３５の組み合わせの色が「ナチュラル（図中のＩ１）」、又は（５）クロスが「白（図中のＣ１）」かつフロア材とベッドカバー３３ａの組み合わせの色が「ナチュラル（図中のＨ１）」、の５パターンが、当該６０代前半の男性の好みに合うと推定される。
丸印が記載されていないその他のインテリアに関する要素（フロア材やアクセント壁、カーテン等）については、特に色や素材等を限定しない。
【００４７】
図６に示すように、６０代前半の男性について、インテリアに関する要素とキーワードとの相関性に関する表を、複数の第一のキーワードごと（例えば、「住みたい」、「元気が出る」、「癒される」、「馴染む」等）にそれぞれ作成する。
【００４８】
これと同様に、他のグループの被験者（例えば、６０代前半の女性、６０代後半の男性、６０代後半の女性等）についても、第一のキーワードごとにインテリアに関する要素とキーワードとの相関性に関する表を作成する。
【００４９】
これらの表をデータベースとしてサーバ１０の記憶部１０ａに記憶させる。当該データベースを記憶部１０ａに記憶させるまでが記憶工程Ｓ１００の処理である。
【００５０】
次に、図３に示す抽出工程Ｓ２００は、前記選択者が選択した前記キーワード（第一のキーワード及び第二のキーワード）、当該選択者の個人情報及び前記データベースに基づいて、当該選択者の好みに合うと推定されるインテリアに関する要素を抽出する工程である。以下、当該抽出工程Ｓ２００について詳細に説明する。
【００５１】
抽出工程Ｓ２００において、まず前記選択者がパソコン２０のキーボード２２を用いて、当該選択者自身の個人情報である年齢及び性別、並びに前記キーワード（第一のキーワード及び第二のキーワード）を選択し、パソコン本体２１に入力する。
本実施形態においては、当該選択者は６０代前半の男性であり、当該選択者は第一のキーワードとして「住みたい」を、第二のキーワードとして「清潔感」を、それぞれ選択したものとして説明を行う。
【００５２】
次に、パソコン２０の抽出部２１ａは、サーバ１０の記憶部１０ａに記憶されたデータベースから、当該選択者の年齢及び性別、並びに選択された第一のキーワードと合致する表（図５及び図６参照）を選択する。
すなわち、抽出部２１ａは、図５に示す表を選択することになる。
【００５３】
次に、抽出部２１ａは、第二のキーワード「清潔感」に基づいて、図５に示す表から前記選択者の好みに合うと推定されるインテリアに関する要素の組み合わせのパターンを抽出する。
すなわち、抽出部２１ａは、前述の（１）から（５）までの５パターンを抽出することになる。当該抽出を行うまでが抽出工程Ｓ２００の処理である。
【００５４】
次に、図３に示す提示工程Ｓ３００は、抽出部２１ａによって抽出されたインテリアに関する要素を前記選択者に提示する工程である。以下、当該提示工程Ｓ３００について詳細に説明する。
【００５５】
提示工程Ｓ３００において、パソコン２０の提示部２１ｂは、抽出工程Ｓ２００において抽出部２１ａによって抽出されたインテリアに関する要素の組み合わせのパターン（すなわち、前述の（１）から（５））を、モニター２３に表示させることで、前記選択者に提示する。
【００５６】
具体的には、図７に示すように、提示部２１ｂは、画像３０（図４参照）を前記パターン（前述の（１）から（５））通りに着色した５種類の画像をそれぞれモニター２３に表示させることで、前記選択者が一見してインテリアのイメージを理解し易いようにする。
【００５７】
このように、前記選択者が選択したキーワードに基づいて、当該選択者の好みに合うと推定されるインテリアに関する要素の組み合わせのパターンを提示することで、当該選択者が自分の好みに合ったインテリアを選択し易くすることができる。特に、当該選択者が自分の好みに合ったインテリアを一つずつ選択していく方法に比べて、容易に好みに合ったインテリアを選択することが可能となる。
【００５８】
なお、この場合、図５に示す表によって具体的な色等が指定されていないインテリアに関する要素については、無色で表示（形状のみ表示）したり、予め定められた基本の着色パターンで表示したり、前記選択者が任意に着色したりすることが可能である。本発明は、図５に示す表によって具体的な色等が指定されていないインテリアに関する要素の表示方法について限定するものではない。
【００５９】
上記５種類の画像をモニター２３に表示させるまでが提示工程Ｓ３００の処理である。
【００６０】
次に、図３に示す選択工程Ｓ４００は、前記選択者が好みに合ったインテリアを選択する工程である。以下、当該選択工程Ｓ４００について詳細に説明する。
【００６１】
選択工程Ｓ４００において、まず前記選択者がパソコン２０のキーボード２２を用いて、提示工程Ｓ３００において提示部２１ｂによってモニター２３に表示（提示）された５種類の画像の中から、当該選択者自身の好みに合ったインテリアを選択する。
【００６２】
ここで、モニター２３に表示された５種類の画像の中に前記選択者自身の好みに合ったインテリアがない場合、当該選択者はいずれかの画像のインテリアに関する要素を修正し、自分の好みに合ったインテリアを作成することができる。例えば、選択者は、椅子３５の色が自分の好みと合わない場合、当該椅子３５の色を自分の好みに合う色に変更（修正）することができる。当該選択者は、作成された自らの好みに合ったインテリアの画像を選択する。
【００６３】
このようにして前記選択者によって選択された画像は、パソコン２０の選択部２１ｃに記憶される。選択部２１ｃに記憶された当該画像は、印刷したり、そのインテリアの要素の組み合わせを表にしたりして、任意に利用可能となる。当該画像が選択部２１ｃに記憶されるまでが選択工程Ｓ４００の処理である。
【００６４】
次に、図３に示す更新工程Ｓ５００は、前記選択者が選択した前記キーワード、当該選択者の個人情報及び当該選択者が最終的に選択したインテリアに関する要素を用いて、前記データベースを更新する工程である。以下、当該更新工程Ｓ５００について詳細に説明する。
【００６５】
更新工程Ｓ５００において、まず更新部２１ｄは、選択工程Ｓ４００において選択部２１ｃに記憶された画像（前記選択者が最終的に選択した画像）に関する情報を取得する。
【００６６】
次に、更新部２１ｄは、選択部２１ｃから取得した情報に基づいてサーバ１０の記憶部１０ａに記憶されたデータベースを更新する。具体的には、前記選択者が最終的に選択した画像に関する情報及び当該選択者の個人情報から、インテリアに関する要素とキーワードとの相関性を読み取り、当該相関性をデータベースに反映させる。
【００６７】
このように、記憶工程Ｓ１００で記憶部１０ａに記憶させたデータベースを、選択者が最終的に選択した画像に基づいて随時更新していくことで、常に最新の情報に基づいたデータベースが構築されることになる。これによって、例えば記憶工程Ｓ１００においてデータベースを記憶させた当初の６０代前半の男性と、１０年経過したときの６０代前半の男性との間で好みの変化（世代間の好みの違い）が生じていたとしても、最新の情報（データベース）に基づいて適切なインテリアの選択が可能となる。
【００６８】
上記データベースの更新が更新工程Ｓ５００の処理である。
【００６９】
以上の如く、本実施形態に係るインテリア選択支援システム１は、選択者がインテリアを選択する際に、好みに合ったインテリアを選択し易くなるように当該選択を支援するインテリア選択支援システム１であって、個人情報に基づいて被験者を複数のグループに分類し、当該複数のグループごとに作成された、インテリアに関するキーワード（第一のキーワード及び第二のキーワード）とインテリアに関する要素との相関性についてのデータベースを記憶した記憶部１０ａと、前記選択者が選択した前記キーワード、当該選択者の個人情報及び前記データベースに基づいて、当該選択者の好みに合うと推定されるインテリアに関する要素を抽出する抽出部２１ａと、抽出部２１ａによって抽出されたインテリアに関する要素を前記選択者に提示する提示部２１ｂと、を具備するものである。
このように構成することにより、個人情報に基づいて被験者を複数のグループに分類し、当該複数のグループごとに作成されたデータベースを用いることで、選択者に応じて当該選択者の好みに合ったインテリアを選択し易くすることができる。
すなわち、インテリアに関するキーワードとインテリアに関する要素との相関性（例えば、あるキーワードから想起されるインテリアの色や形状等）は選択者ごとに異なるため、当該選択者を個人情報に基づいて分類することで、より的確なデータベースを構築することができる。これによって、選択者はより短時間で自らの好みに合ったインテリアを選択することが可能となる。
また、専門家（インテリアコーディネーター等）が選択者の好みを聞いてインテリアに関する要素を提案する場合、当該専門家の経験や能力によって当該提案内容が異なってしまう場合がある。しかし、本実施形態に係るインテリア選択支援システム１を用いることにより、当該専門家の経験や能力に依存しないインテリアの提案が可能となる。
【００７０】
また、インテリア選択支援システム１は、前記選択者が選択した前記キーワード、当該選択者の個人情報及び当該選択者が最終的に選択したインテリアに関する要素を用いて、前記データベースを更新する更新部２１ｄをさらに具備するものである。
このように構成することにより、選択が行われる度にデータベースを更新することで、常に最新の情報に基づいた選択の支援が可能となる。例えば、当初のデータベースを構築した時点から長い時間が経過しても、最新の情報に基づいて適切な選択の支援が可能となる。これによって、世代間の好みの違いや、流行の変化等に対応した選択の支援が可能となる。
さらに、インテリアの選択と併せてデータベースを更新することができ、別途データベースの更新作業を行う必要がなくなるため、データベースのメンテナンス（更新）の作業負荷を軽減させることができる。
【００７１】
また、前記個人情報は、前記選択者の年齢及び性別であるものである。
このように構成することにより、インテリアに関するキーワードとインテリアに関する要素との相関性に特に影響が大きいと考えられる年齢及び性別に基づいたデータベースを用いることで、より選択者の好みに合ったインテリアを選択し易くすることができる。
【００７２】
また、本実施形態に係るインテリア選択支援方法は、選択者がインテリアを選択する際に、好みに合ったインテリアを選択し易くなるように当該選択を支援するインテリア選択支援方法であって、被験者を個人情報に基づいて複数のグループに分類し、当該複数のグループごとに作成されたインテリアに関するキーワードとインテリアに関する要素との相関性についてのデータベースを記憶する記憶工程Ｓ１００と、前記選択者が選択した前記キーワード、当該選択者の個人情報及び前記データベースに基づいて、当該選択者の好みに合うと推定されるインテリアに関する要素を抽出する抽出工程Ｓ２００と、抽出工程Ｓ２００において抽出されたインテリアに関する要素を前記選択者に提示する提示工程Ｓ３００と、を具備するものである。
このように構成することにより、個人情報に基づいて被験者を複数のグループに分類し、当該複数のグループごとに作成されたデータベースを用いることで、選択者に応じて当該選択者の好みに合ったインテリアを選択し易くすることができる。
すなわち、インテリアに関するキーワードとインテリアに関する要素との相関性（例えば、あるキーワードから想起されるインテリアの色や形状等）は選択者ごとに異なるため、当該選択者を個人情報に基づいて分類することで、より的確なデータベースを構築することができる。これによって、選択者はより短時間で自らの好みに合ったインテリアを選択することが可能となる。
また、専門家（インテリアコーディネーター等）が選択者の好みを聞いてインテリアに関する要素を提案する場合、当該専門家の経験や能力によって当該提案内容が異なってしまう場合がある。しかし、本実施形態に係るインテリア選択支援方法を用いることにより、当該専門家の経験や能力に依存しないインテリアの提案が可能となる。
【００７３】
また、前記インテリア選択支援方法は、前記選択者が選択した前記キーワード、当該選択者の個人情報及び当該選択者が最終的に選択したインテリアに関する要素を用いて、前記データベースを更新する更新工程Ｓ５００をさらに具備するものである。
このように構成することにより、選択が行われる度にデータベースを更新することで、常に最新の情報に基づいた選択の支援が可能となる。例えば、当初のデータベースを構築した時点から長い時間が経過しても、最新の情報に基づいて適切な選択の支援が可能となる。これによって、世代間の好みの違いや、流行の変化等に対応した選択の支援が可能となる。
さらに、インテリアの選択と併せてデータベースを更新することができ、別途データベースの更新作業を行う必要がなくなるため、データベースのメンテナンス（更新）の作業負荷を軽減させることができる。
【００７４】
また、前記個人情報は、前記選択者の年齢及び性別であるものである。
このように構成することにより、インテリアに関するキーワードとインテリアに関する要素との相関性に特に影響が大きいと考えられる年齢及び性別に基づいたデータベースを用いることで、より選択者の好みに合ったインテリアを選択し易くすることができる。
【００７５】
なお、本実施形態においては、選択者の個人情報として年齢及び性別を用いるものとしたが、本発明はこれに限るものではない。例えば、個人情報として年齢又は性別のいずれか一方のみや、その他の個人情報（例えば、選択者の居住地、出生地、年収、職業、趣味、家族構成等）を用いることも可能である。
【００７６】
また、本実施形態においては、インテリアに関する要素として、図５に示す表に記載のもの（フロア材、クロス等の色や素材）を例示したが、本発明はこれに限るものではない。すなわち、インテリアに関する要素としては、室内の間取りや仕上げ等、並びに室内の照明器具や家具の色や素材、形状等の、室内空間を装飾し得る全ての要素を用いることが可能である。
【００７７】
また、本実施形態においては、キーワード（第一のキーワード及び第二のキーワード）として、主に図５に示す表に記載のものを用いて説明を行ったが、本発明はこれに限るものではない。すなわち、キーワードとしては、その他のあらゆる言葉（特に、室内のインテリアの様子を示す形容詞）を用いることが可能である。
【００７８】
また、本実施形態に係るインテリア選択支援システム１は、サーバ１０とパソコン２０から構成されるものとしたが、本発明はこれに限るものではない。例えば、パソコン２０のみで構成することも可能である。この場合、当該パソコン２０のパソコン本体２１が記憶部１０ａ、抽出部２１ａ、提示部２１ｂ、選択部２１ｃ及び更新部２１ｄを具備することになる。
【００７９】
また、本実施形態に係るインテリア選択支援システム１は、入力手段としてキーボード２２を用いる構成としたが、本発明はこれに限るものではない。例えば、マウスやタッチパネル等を入力手段として用いることも可能である。
【００８０】
また、本実施形態に係るインテリア選択支援システム１は、表示手段としてモニター２３を用いる構成としたが、本発明はこれに限るものではない。例えば、タッチパネル等を表示手段として用いることも可能である。
【００８１】
また、本実施形態に係るインテリア選択支援方法は、選択者（一般消費者）が自ら当該選択者自身の個人情報（年齢及び性別）並びにキーワードをパソコン本体２１に入力するものとしたが、本発明はこれに限るものではない。例えば、選択者（一般消費者）からインテリアについて相談を受けた専門家（インテリアコーディネーター等）が、当該選択者の希望を聞いて本実施形態に係るインテリア選択支援方法（インテリア選択支援システム１）を使用することも可能である。
【００８２】
また、本実施形態に係るインテリア選択支援システム１（インテリア選択支援方法）では、選択者が選択してキーワード、当該選択者の個人情報及びデータベースに基づいてインテリアに関する要素を提案する構成としたが、これらに加えて当該選択者が実際に所有しているインテリアも考慮してインテリアに関する要素を提案する構成とすることも可能である。これによって、選択者が所有するインテリアを活用して当該選択者の好みに合ったインテリアを提案することが可能となる。
【符号の説明】
【００８３】
１      インテリア選択支援システム
１０    サーバ
１０ａ  記憶部
２０    パソコン
２１    パソコン本体
２１ａ  抽出部
２１ｂ  提示部
２１ｃ  選択部
２１ｄ  更新部
【図１】
2014102767.tif 000003
【図２】
2014102767.tif 000004
【図３】
2014102767.tif 000005
【図４】
2014102767.tif 000006
【図５】
2014102767.tif 000007
【図６】
2014102767.tif 000008
【図７】
2014102767.tif 000009